【手続補正書】
【提出日】平成16年12月1日(2004.12.1)
【手続補正１】
【補正対象書類名】明細書
【補正対象項目名】全文
【補正方法】変更
【補正の内容】
【書類名】              明細書
【発明の名称】  ３次元用の水準器およびその着脱自在の携帯用ドリル
【特許請求の範囲】
【請求項１】  傾斜した被加工面に対しても直角に孔明けやタッピング加工が行える
ように携帯用の電動ドリル等のドリル本体に水準器を３次元に傾転可能に自在継手やフレ
キシブルジョイント等の継手手段を介して着脱可能に取り付けるようにしたことを特徴と
する３次元用の水準器を着脱自在の携帯用ドリル。
【請求項２】  ３次元に傾転可能に自在継手やフレキシブルジョイントの継手手段
を水準器に取着し、ベルベットファスナーや磁石体等を介して携帯用のドリル本
体に着脱可能に取り付けた請求項１に記載の３次元用の水準器を着脱自在の携帯
用ドリル。
【請求項３】  携帯用のドリル本体のドリルチャックに直角芯出し具を挿着する
ようにし、被加工面に上記直角芯出し具を直角に当接できて上記携帯用ドリル本体に
取り付けた水準器を自在継手またはフレキシブルジョイントの継手手段で水平状態にして
携帯用ドリルの直角位置決めをするようにした請求項１または２に記載の３次元用の
水準器を着脱自在の携帯用ドリル。
【請求項４】  水準器を搭載する水準器台に水準器を３次元に傾転可能に自在継
手やフレキシブルジョイントの継手手段を介して水準器の取付台を接続するとともに、
上記取付台にベルベットファスナーや磁石体、両面接着テープ等が着脱手段を取り
付けて、被加工面に対して垂直状に孔あけタッピング加工を行えるようにしたことを特徴
とする３次元用の水準器。
【発明の詳細な説明】
【０００１】
【発明の属する技術分野】
本発明は、ドリルやタップ加工分野における３次元用の水準器およびその着
脱自在の携帯用ドリルに関するものである。
【０００２】
【従来の技術】
部材を取り付けたり、組み上げたりするのに、携帯用の電動ドリルで孔明け加工した
り、タッピング加工することが広く行われている。その被加工材に孔明けやタッピング加
工を行う場合、ドリルが被加工面に垂直となるように電動ドリルを保持している。しかし
ながら、作業者は目測や勘によって電動ドリルを保持し、被加工面にドリルを当てて孔明
けやタッピング加工をしているものであった。
【０００３】
【先行技術文献】
そこで、上記の技術について先行特許調査を行った結果、実公昭６−４５３４２号公
報、特開平８−２１５９１０号公報、特開平７−２２３１０６号公報、実開平７−１５２
０９号公報などが検索された。
【０００４】
上記前３者の公報には、いずれもドリル本体に水準器を一体的に装着してドリルの垂
直方向や水平方向等に対して水準器をその傾斜角度を可変として、被加工面に垂直に孔明
けすることが提案されている。また、後者の公報には、ドリル本体に固定用ボルトナット
で固定し、その基台に磁石体を介して水準器を取り付けて垂直に孔明けすることが提案さ
れている。
【０００５】
【発明が解決しようとする課題】
しかし、これらのものにあっては、いずれも被加工面の傾斜面に対して水準器を２次
元で調整できても、傾斜角度を３次元で可変に設定できるものでなく、また他のドリルに
取り付けられて自由に利用できるものでなく、多様な被加工面に対して自在に適用できる
ものが要望されていた。
【０００６】
【課題を解決するための手段】
本発明は、上記のような点に鑑みたもので、上記の課題を解決するために、傾斜した
被加工面に対しても直角に孔明けやタッピング加工が行えるように携帯用の電動ドリル等
のドリル本体に水準器を３次元に傾転可能に自在継手やフレキシブルジョイント等の継手
手段を介して着脱可能に取り付けるようにできる３次元用の水準器やその着脱自
在の携帯用ドリルを提供するにある。
【０００７】
本発明の水準器やその着脱自在の携帯用ドリルは、傾斜した被加工面に対し
ても直角に孔明けやタッピング加工が行えるように携帯用の電動ドリル等のドリル本体に
水準器を３次元に傾転可能に自在継手やフレキシブルジョイント等の継手手段を介して着
脱可能に取り付けるようにしたことを特徴としている。
【０００８】
携帯用ドリル１は、コードレスやコード付きの電動ドリルやタップ、手動用のものが
適用できるもので、図１のようにドリル本体２の側面等に小型の水準器３をその方向を３
次元に自在に傾転可能に自在継手やフレキシブル継手等の継手手段４を介して着脱自在に
取り付けて、被加工材のいかなる傾斜面に対しても垂直にドリル５を対向できて孔明けや
タップッピング加工ができるようにしている。
【０００９】
水準器３としては、薄状で小型状のものが好ましく、市場において入手可能なプラス
チック容器に気泡の入った一体成形の安価なもの等を適用することができる。
【００１０】
その継手手段４としては、図２（ａ）、（ｂ）のように取付台６にフック状の軸支部
７を設けて旋回軸８を軸着し、この旋回軸８の中央に直角方向に水準器支持軸９を軸着し
てその先端部に水準器台１０を螺着し、この水準器台１０に水準器３を一体的に搭載して
、水準器３を３次元に傾転できる自在継手等とすることができる。
【００１１】
上記旋回軸８には固定ねじ１１、水準器支持軸９には締施ねじ１２をそれぞれ取着し
て水準器３を所定の傾斜角度でしっかりと固定状態にしておけるようにしている。なお、
必要により弛み止めスプリングを装着することもできる。
【００１２】
そして、この継手手段４の取付台６を、ベルベットファスナーや磁石体、両面接着テ
ープ等の着脱手段１３でドリル本体２の側面の適宜の位置に着脱可能に取付けるようにし
、被加工面に直角に孔明けやタッピング加工を行えるようにしている。
【００１３】
そしてまた、図３、図４のようにドリル本体２のドリルチャック１４に直角芯出し具
１５を挿着してドリル本体２を被加工面に直角に正確に位置決めできるようにしていると
ともに、その際上記した継手手段４を介して水準器３を水平状態に傾転して気泡を中央に
位置し、直角芯だし具１５をドリル５に取り換えて挿着して、ドリル本体２を客観的に被
加工面に対して直角に対向して加工できるようにしている。
【００１４】
その直角芯出し具１５としては、図３（ａ）、（ｂ）のように直交状に組み立て可能
とした５０〜８０ｍｍの適宜の長さの脚材１６の中央に直角軸１７を垂直に螺着するよう
にし、図４のように直角軸１７をドリルチャック１４に挿着することによって、上記のよ
うにドリル本体２を被加工面に直角に対向させるようにしている。
【００１５】
上記脚材１６の裏面側には、直角軸孔１８のまわりに軸対称状に突起１９をそれぞれ
同一高さに突設し、突起１９を介して被加工面に当接するようにして当接面の凹凸面によ
る誤差を回避するようにすることが好ましい。
【００１６】
なお、直角芯出し具１５は、このように直角状に組み立てるのが搬送や保管に便利で
好ましいが、クロス状のものや、カップ状、ピラミッド状、その他、本発明の趣旨にもと
づいて適宜な変形態様のものとすることができる。
【００１７】
また、継手手段４の自在継手の他に、フレキシブルなワイヤー等のフレキシブルジョ
イントとして水準器３を３次元に傾転可能とするようにもできる。
【００１８】
【実施例】
図１、図２は、本発明の一実施例を示すものである。小型電動ドリルの携帯用ドリル
１は、図１のようにそのドリル本体２の側面に水準器３を自在継手の継手手段４を介して
ベルベットファスナーの着脱手段１３で着脱可能に取り付け、被加工面に対して常に直角
に孔明けやタッピング加工が簡単に行えるようにしている。
【００１９】
継手手段４としては、図２（ａ）、（ｂ）のように取付台６にフック状の軸支部７
を設けて旋回軸８を軸着し、この旋回軸８の中央に直角方向に水準器支持軸９を軸着して
その先端部に水準器台１０を螺着し、この水準器台１０に水準器３を一体的に搭載して、
水準器３を３次元に傾転できる自在継手としている。
【００２０】
継手手段４は、上記したように旋回軸８、水準器支持軸９を介して３次元に傾転でき
、被加工面が水平面、垂直面に２次元状や３次元状に傾斜する面に対しても、上記した自
在継手の継手手段４を介して水準器３を容易に水平状に旋回でき、このような水準器３の
状態として被加工面に携帯用ドリル１を直角に対向して直角に孔明けやタッピング加工が
できるものである。
【００２１】
そして、図４のように直角芯出し具１５の直角棒１７をドリル本体２のドリルチャッ
ク１４に挿着し、直角芯出し具１５を被加工面に当接すればドリル本体２を簡単に被加工
面に直角に芯出しでき、上記したように水準器３を調整して水平状に設定して、直角芯出
し具１５を取り外して所要のドリルやタップを挿着して加工していくことができる。なお
、棒状グラインダー等を挿着して大径の開口面の内周面の修正を行う場合にも適用可能で
ある。
【００２２】
このように水準器を３次元で傾転できるため、被加工面がいかなる傾斜面であっても
、ドリル本体を傾斜面に直角に容易に対向できて孔明け、タッピング加工をすることがで
きるとともに、ベルベットファスナーの簡易な着脱手段によって他の電動ドリルについて
も水準器を簡単に取り付けて使用できる。
【００２３】
また、ドリルチャックに直角芯出し具を挿着することによって、被加工面に簡単かつ
正確に直角にドリル本体を位置決めすることができ、上記した水準器をより正確に水平に
調整して孔明け、タッピング加工を行うことができる。
【００２４】
なお、上記した自在継手の構造は一実施例のもので、他のフック機構等のものも実施
できるとともに、フレキシブル継手を利用して行うことができる。また、直角芯出し具も
、上記実施例では分解してコンパクトに収容できて好ましいが、本発明の趣旨にもとづい
て他の変形態様のものを実施することができる。
【００２５】
【発明の効果】
以上のように本発明にあっては、携帯用ドリルに水準器を３次元に傾転可能に自在継
手やフレキシブルジョイント等の継手手段を介して着脱可能に取り付けるようにしたので
、水準器を３次元的に傾転できて、被加工面が水平面、垂直面に二次元状や三次元状に傾
斜する面に対しても、携帯ドリルを直角に対向できて被加工面に直角に孔明けやタッピン
グ加工ができるものである。
【００２６】
そして、３次元に傾転可能に自在継手やフレキシブルジョイントの継手手段を水
準器に取着して、ベルベットファスナーや磁石体等を介して携帯用のドリル本体に着
脱可能に取り付けることによって、１の携帯用ドリルに限らず、他の携帯用ドリルにも同
様に取り付けられて、上記のように作用、効果を奏する。
【００２７】
また、携帯用のドリル本体のドリルチャックに直角芯出し具を挿着するようにし
、被加工面に上記直角芯出し具を直角に当接できて上記携帯用ドリル本体に取り付け
た水準器を自在継手またはフレキシブルジョイントの継手手段で水平状態にして携帯用ド
リルの直角位置決めをするようにすることによって、被加工面に簡単かつ正確に直角にド
リル本体を位置決めすることができ、上記した水準器をより正確に水平に調整して孔明け
、タッピング加工を行うことができる。
【００２８】
このように水準器を３次元的に傾転できて、被加工面が水平面、垂直面に二次元状
や三次元状に傾斜する面に対して、垂直状に孔明けやタッピング加工を行なうようにでき
る。
【図面の簡単な説明】
【図１】
本発明の一実施例の説明用正面図、
【図２】
同上の水準器部の平面図（ａ）、と正面図（ｂ）、
【図３】
同上の直角芯出し具の平面図（ａ）と分解図（ｂ）、
【図４】
同上の使用状態説明図。
【符号の説明】
１…携帯用ドリル        ２…ドリル本体            ３…水準器
４…自在継手            ５…ドリルチャック      １３…着脱手段